(57)【特許請求の範囲】
【請求項１】
マンホール開口部から搬入せられ後記架台ベースを介してマンホール底部へ設置されるユニット内槽の槽皮部分を樹脂成形により前後方向に２分割型となし、後方槽皮に水中汚水ポンプの吸込口を挿入させる２個の有底孔を凹設すると共に両有底孔間を流通させる流通溝を設け、前方槽皮の後縁部と後方槽皮の前縁部とが夫々下方へ折り曲げられた当接面同士で前後方向から相互に接触して合一せられ、前方槽皮の後縁部上面または後方槽皮の前縁部上面もしくは両槽皮の当接面上に沿って充填材の注入用透孔を穿設し、該透孔の周辺部にアンカーボルト孔を配設してその上面を後記固定部材の支持座に形成し、両槽皮の外周縁部にはサポートボルト孔を配設し、マンホール底面に載置される架台ベースを前後方向に２分割型となし、該架台ベースと両槽皮との対向面間において周側全域が開放状態の空間部を保有させ、前方ベースの後方部および後方ベースの前方部から立設された支持杆の上端部を前記アンカーボルト孔へ対向させ、前方ベースの前方部および後方ベースの後方部から立設されたサポートボルトの上端部を前記サポートボルト孔に定着させた状態により、前記注入用透孔から両槽皮の裏側における前記空間部へ充填材を注入して固化させ、廃水揚送管の始端部固定部材を前記支持座上に載置してアンカーボルトにより定着させるよう構成したことを特徴とする、マンホール内のユニット内槽設置構造。
【発明の詳細な説明】
【０００１】
【発明の技術分野】
本発明は、マンホール内のユニット内槽設置構造に関するものである。
【０００２】
【従来技術とその問題点】
図１２に示すよう、排水が流入してくるマンホール１０１の下底部に、２個の有底孔１０７ａ，１０７ｂを凹設したコンクリート製の内槽１０５を設置してその周囲をモルタルで固め、これら有底孔１０７ａ，１０７ｂ内下方部へ吸込口１１８を導下させ吐出口１１９を上導させた２台のポンプ１１７ａ，１１７ｂの交互運転により、上記流入廃水を揚送排出させることは従来から広く知られている。
【０００３】
しかしコンクリート製の内槽１０５は重量物であり、現場への搬送、マンホール１０１内への据え付け作業に多大の労力を費やし、また、クレーン等の搬入装置を必要とする。更にまた、有底孔１０７ａ，１０７ｂの上縁前方部に廃水揚送管１０３の始端部固定部材取付座等を付設したユニットタイプの内槽では前後方向の径が大きくなるため、小径に形成されたマンホール開口部１０４からの搬入は極めて困難で、据え付け工事が一段と煩雑となって施工費用が嵩むことになる。
【０００４】
【発明の目的】
本発明の目的は、軽量かつ２分割構造によって嵩張らず、現場への搬送およびマンホール開口部からの搬入ならびにマンホール底部への据え付け工事が容易かつローコストに実施し得る、マンホール内のユニット内槽設置構造を提供することにある。
【０００５】
【発明の構成】
本発明に係るマンホール内のユニット内槽設置構造では、マンホール開口部から搬入せられ後記架台ベースを介してマンホール底部へ設置されるユニット内槽の槽皮部分を樹脂成形により前後方向に２分割型となし、後方槽皮に水中汚水ポンプの吸込口を挿入させる２個の有底孔を凹設すると共に両有底孔間を流通させる流通溝を設け、前方槽皮の後縁部と後方槽皮の前縁部とが夫々下方へ折り曲げられた当接面同士で前後方向から相互に接触して合一せられ、前方槽皮の後縁部上面または後方槽皮の前縁部上面もしくは両槽皮の当接面上に沿って充填材の注入用透孔を穿設し、該透孔の周辺部にアンカーボルト孔を配設してその上面を後記固定部材の支持座に形成し、両槽皮の外周縁部にはサポートボルト孔を配設し、マンホール底面に載置される架台ベースを前後方向に２分割型となし、該架台ベースと両槽皮との対向面間において周側全域が開放状態の空間部を保有させ、前方ベースの後方部および後方ベースの前方部から立設された支持杆の上端部を前記アンカーボルト孔へ対向させ、前方ベースの前方部および後方ベースの後方部から立設されたサポートボルトの上端部を前記サポートボルト孔に定着させた状態により、前記注入用透孔から両槽皮の裏側における前記空間部へ充填材を注入して固化させ、廃水揚送管の始端部固定部材を前記支持座上に載置してアンカーボルトにより定着させるのである。
【０００６】
【実施例】
以下実施例の図面により説明をする。
【０００７】
１は廃水の流入してくるマンホールであって、内部へ向けて開口される廃水流入口２と外部へ向けて導延される廃水揚送管３を有し、上方部は傾斜ブロック１ａを介して径小のマンホール開口部４が地表へ開口され、平時はマンホール蓋４ａによって閉塞されている。上記開口部４から搬入されてマンホール１の底部に設置されるユニット内槽は、例えばＦＲＰ樹脂等の樹脂成形により槽皮部分が前後方向に２分割され、前方槽皮５ａの後縁部と後方槽皮５ｂの前縁部とが夫々下方へ折り曲げられた当接面６ａ，６ｂ同士で前後方向から相互に接触して合一せられ、後方槽皮５ｂには後記水中汚水ポンプ１７ａ，１７ｂの吸込口１８，１８を挿入させる２個の有底孔７ａ，７ｂが凹設されている。これら２個の有底孔７ａ，７ｂの周壁は上方が大径で下方が小径の摺鉢状傾斜面に形成されている。８ａは一方の有底孔７ａの周壁一側部に沿って縦設された側溝、８ｂは他方の有底孔７ｂの周壁一側部に沿って縦設された側溝、８はこれら両側溝８ａ，８ｂを夫々ポンプの回転方向と背向する方向へ導延させて両有底孔７ａ，７ｂを連通させるための流通溝である。９，９は前方槽皮５ａの後縁部上面または後方槽皮５ｂの前縁部上面もしくは両槽皮５ａ，５ｂの当接面６ａ，６ｂ上に沿って穿設された充填材の注入用透孔、３ｂは該透孔９，９の周辺部上面に形成された固定部材支持座、１０‥‥１０は該支持座３ｂに配設されたアンカーボルト孔、１１‥‥１１は両槽皮５ａ，５ｂの外周縁部に配設されたサポートボルト孔である。マンホール底面に載置される架台ベースは前後方向に２分割型となし、該架台ベースと前記両槽皮５ａ，５ｂとの対向面間において周側全域が開放状態の空間部５が保有され、前方ベース１２ａの後方部および後方ベース１２ｂの前方部から立設された支持杆１３‥‥１３の上方部を前記アンカーボルト孔１０‥‥１０から導出させて後記固定部材１４の取付用アンカーボルト１３ａ‥‥１３ａとなし、前方ベース１２ａの前方部および後方ベース１２ｂの後方部から立設されたサポートボルト１６‥‥１６の上端部を前記サポートボルト孔１１‥‥１１に定着させた状態により、モルタル等の充填材１５を任意の注入用透孔９から両槽皮５ａ，５ｂの裏側における前記空間部５内へ注入して固化させたのち、固定部材支持座３ｂ上へ補強用抑え板３ｃを重合させて注入用透孔９，９を閉塞し更にその上面に、廃水揚送管３の始端部３ａを支承している固定部材１４を載置してアンカーボルト１３ａ‥‥１３ａにより定着させるのである。１７ａは一方の有底孔７ａ内の下方部へ吸込口１８が開口されるよう収容された水中汚物ポンプ、１７ｂは他方の有底孔７ｂ内へ吸込口１８が開口されるよう収容された水中汚物ポンプであって、いずれも吐出口１９が前記廃水揚送管３の始端部３ａと脱着自在に接続される。２０は水中汚物ポンプ１７ａ，１７ｂの装脱時に使用される昇降ガイド、２１は有底孔７ａ，７ｂの孔底部裏面を支承するため後方ベース１２ｂの上面に凸設された補強座である。
【０００８】
廃水の流入によりマンホール１内が所定の起動水位まで上昇すると、第１のポンプ１７ａが起動して廃水の揚送排出が開始される。揚送排出作業が進行して有底孔７ａ，７ｂの上縁まで水位が達したのちは、第１の有底孔７ａ内の廃水が揚送排出されることになるが、この第１のポンプ１７ａの揚送排出作用により第２の有底孔７ｂ内から流通溝８を通して第１の有底孔７ａ内への廃水流入作用を生じるため、第２の有底孔７ｂ内の水位は第１の有底孔７ａ内の水位と同調して低下し始める。また、上記流通溝８を通しての廃水流入作用によって第１の有底孔７ａ内には旋回流が形成増幅せられ、且つ、廃水は摺鉢形傾斜面に沿って周辺部から旋回上昇し中央部から下降して対流作用を生じ、従って廃水中の浮遊物や沈殿物が強力に撹拌されつつポンプ吸込口１８から吸い込まれることになる。そして両有底孔７ａ，７ｂ内の水位が孔底近くの所定の停止水位まで達すると第１のポンプ１７ａは停止する。この間、揚送排出されるのは第１の有底孔７ａ内の廃水のみでなく、第２の有底孔７ｂ内の廃水をも流通溝８を介して揚送排出させるのである。これは単にポンプ停止中の第２の有底孔７ｂ内に廃水を残留させないというだけのことではない。その分上記旋回流の形成時間が持続させられることになるのである。つまり、第１の有底孔７ａ内における浮遊物や沈殿物の撹拌時間がそれだけ増大されるということである。従って、浮遊物や沈殿物が廃水と共に揚送排出され易くなり、槽内に残存することがない。
【０００９】
次に再び廃水の流入によりマンホール１内の水位が所定の起動水位まで上昇したときは、第２のポンプ１７ｂが起動して廃水の揚送排出が行われ、水位が有底孔７ａ，７ｂの上縁まで達したのちは、第２の有底孔７ｂ内の廃水が揚送排出されることになるが、以下の作用は既述の第１のポンプ１７ａ起動の場合と同様であるので説明を省略する。
【００１０】
【発明の効果】
本発明によれば、ユニット内槽の槽皮部分が樹脂成形により前後方向へ２分割型となっており、従来のコンクリート製内槽に比し極めて軽量でかつ嵩張らないため、現場への搬送および狭隘なマンホール開口部からの搬入作業も容易となる。そして、ユニット内槽の槽皮の裏面における空間部は周側全域が開放状態になっており、注入用透孔から注入された充填材はマンホール本体の下方部の内周壁に完全に密着した状態で固化し、ユニット内槽がマンホール本体と完全に一体化されて防水性の確保された状態を構成するので、マンホール底部への据え付け工事が円滑かつローコストに実施し得られるという利点がある。また、樹脂成形された槽皮によって内槽表面が滑らかに形成せられ、コンクリート製内槽のようなザラツキが無いため、スカムや沈殿物を円滑にポンプが吸引して廃水揚送管へ送り込めるという効果がある。
【図面の簡単な説明】
【図１】  本発明設置構造によりマンホール内へユニット内槽を設置させた状態を示す縦断側面図である。
【図２】  本発明構造を構成するための前方槽皮の平面図である。
【図３】  図２のＡ−Ａ線における縦断側面図である。
【図４】  本発明構造を構成するための後方槽皮の平面図である。
【図５】  図４のＢ−Ｂ線における縦断側面図である。
【図６】  本発明構造を構成するための前方ベースの平面図である。
【図７】  本発明構造を構成するための前方ベースの側面図である。
【図８】  本発明構造を構成するための後方ベースの平面図である。
【図９】  本発明構造を構成するための後方ベースの側面図である。
【図１０】  本発明構造におけるユニット内槽の平面図である。
【図１１】  図１０のＣ−Ｃ線における縦断側面図である。
【図１２】  従来のコンクリート製内槽を設置したマンホールの縦断正面図である。
【符号の説明】
１      マンホール
３      廃水揚送管
３ａ    廃水揚送管の始端部
３ｂ    固定部材支持座
４      マンホール開口部
５      周側全域が開放状態の空間部
５ａ    前方槽皮
５ｂ    後方槽皮
６ａ    当接面
６ｂ    当接面
７ａ    有底孔
７ｂ    有底孔
８      流通溝
９      充填材の注入用透孔
１０    アンカーボルト孔
１１    サポートボルト孔
１２ａ  前方ベース
１２ｂ  後方ベース
１３    支持杆
１３ａ  アンカーボルト
１４    排液揚送管始端部の支持部材
１５    充填材
１６    サポートボルト
１７ａ  水中汚水ポンプ
１７ｂ  水中汚水ポンプ
１８    吸込口
【図１】
0003698824.tif 000002
【図２】
0003698824.tif 000003
【図３】
0003698824.tif 000004
【図４】
0003698824.tif 000005
【図５】
0003698824.tif 000006
【図６】
0003698824.tif 000007
【図７】
0003698824.tif 000008
【図８】
0003698824.tif 000009
【図９】
0003698824.tif 000010
【図１０】
0003698824.tif 000011
【図１１】
0003698824.tif 000012
【図１２】
0003698824.tif 000013